(57)【特許請求の範囲】
【請求項１】
基板支持装置であって、
ａ）バックサイドおよび少なくとも１つの貫通孔を有し、この貫通孔が、その上にバックサイドから置いた基板の縁を支持するようになっているフレームワークと、
ｂ）フレームワークに対して基板を押圧する力を加えるための複合ばねクリップ組立体とを備え、
この複合ばねクリップ組立体が、
ｉ）板ばね定数を有し、拘束された端部と片持ち端部とを有し、片持ち端部と接触している基板に基板拘束力を与えるようになっている板ばねと、
ｉｉ）フレームワークから離れる方向に突出するレバーアームと、
ｉｉｉ）レバーアームを拘束された端部に連結するクリップ支持部材と、
ｉｖ）第１のばね定数よりも少なくとも３倍大きい第２ばね定数を有し、かつ、力を板ばねの力に抗してフレームワークに対してクリップ支持部材を拘束するようになっており、かつ、オペレータが組立体を移動させるために働かなければならない抵抗を与えるようになっているクリップ組立体保持力を与える第２ばねとを備え、
それによって、オペレータが、第２ばねによって制御される力でクリップを持ち上げ、基板に対してクリップを設置することができると共に、基板に対する力を板ばねによって制御する、
ことを特徴とする基板支持装置。
【請求項２】
請求項１に記載の装置において、板ばねが、複数のばね板からなることを特徴とする装置。
【請求項３】
請求項２に記載の装置において、板ばねが、ばね板を相互連結している１つまたはそれ以上のクロスバーを備えることを特徴とする装置。
【請求項４】
基板支持装置であって：
ａ）バックサイドおよび少なくとも１つの貫通孔を有し、この貫通孔が、その上にバックサイドから置いた基板の縁を支持しするようになっているフレームワークと、
ｂ）フレームワークに対して基板を押圧すると共にクリップを所定位置に保持する別々の分離した力を与える複合ばねクリップ組立体とを備え、
この複合クリップ組立体が、
ｉ）板ばね定数を有し、基板拘束力を与える複数の板ばねと、
ｉｉ）ばね板定数よりも少なくとも３倍大きい第２ばね定数を有し、クリップ組立体保持力を与える第２ばねと、
ｉｉｉ）フレームワークから離れる方向に突出するレバーアームと、
ｉｖ）レバーアームを板ばねに連結しており、第２ばねのクリップ組立体保持力によって、フレームワーク・バックサイドに対して押し付けられるようになっているクリップ支持部材とを備え、
それによって、オペレータが、第２ばねによって制御される力でクリップを持ち上げ、基板に対して設置することができると共に、基板に対する力が板ばねによって制御される、
ことを特徴とする装置。
【請求項５】
請求項１または請求項４に記載の装置において、基板拘束力合計の板ばね力が、２０グラム未満であることを特徴とする装置。
【請求項６】
請求項１または請求項４に記載の装置において、板ばね、レバーアームおよびクリップ支持部材が、１つの金属片で形成してあり、板ばねの厚さが０．０５０８ｍｍから０．２５４ｍｍ（０．００２インチから０．０１０インチ）であり、レバーアームおよびクリップ支持部材の厚さが、０．２５４ｍｍから１．０１６ｍｍ（０．０１０インチから０．０４０インチ）であることを特徴とする装置。
【請求項７】
請求項１または請求項４に記載の装置において、板ばね、レバーアームおよびクリップ支持部材が、１７−７ｐｈステンレス鋼で形成されていることを特徴とする装置。
【請求項８】
請求項１または請求項４に記載の装置において、板ばねの厚さが、０．１０１６ｍｍ（０．００４インチ）であることを特徴とする装置。
【請求項９】
請求項１または請求項４に記載の装置において、レバーアームおよびクリップ支持部材の厚さが、０．３８１ｍｍ（０．０１５インチ）であることを特徴とする装置。
【請求項１０】
請求項１または請求項４に記載の装置において、
板ばねが、第１の金属片からなり、
レバーアームおよび支持部材が、第２の金属片からなり、
クリップ組立体が、さらに、第１の金属片と第２の金属片を固定するジョイントを含む、
ことを特徴とする装置。
【請求項１１】
請求項１または請求項４に記載の装置において、第２ばねが、クリップ支持部材の一部を曲げ、拘束することによって形成されていることを特徴とする装置。
【請求項１２】
請求項１または請求項４に記載の装置において、第２ばねが、コイルばねであることを特徴とする装置。
【請求項１３】
請求項１または請求項４に記載の装置において、
クリップ組立体が、
フレームワークに対して直角な軸線を有するピボット・ピンと、
クリップ組立体に設けてあり、ピボット・ピンを収容するピボット・ピン孔とを備え、
クリップ組立体をピボット・ピンの軸線まわりに回転させることができ、ピボット・ピンおよびレバーアーム上に置いたオペレータの指によってクリップ持ち上げ力を与えることができるように構成した、
ことを特徴とする装置。
【発明の詳細な説明】
【０００１】
【発明の背景】
本発明は、一般的に、処理中、半導体ウェーハのような基板を拘束するための支持構造に関する。本発明は、さらに、損傷を与えることなく基板を拘束する力を与えながら、基板の強度を上回る力でオペレータが容易に操作することができる複合ばね組立体に関する。
【０００２】
【従来技術の説明】
材料の蒸着またはコーティングは、多くの半導体、光学要素を製造する際に広く使われているプロセスである。この種のプロセスを実施できるバッチ処理機１１１の一例が、図１に概略的に示してある。このバッチ・プロセッサ１１１は、真空チャンバ１０１と、コーティング材料１０５の蒸発源１０３と、フレームワーク１０７とを備える。フレームワーク１０７は、一般に、ソース１０３からほぼ均等な距離のところに通常は設置された複数の光学要素、フラット・パネル・ディスプレイ・パネル、半導体ウェーハその他の基板１０９を均一にコーティングするように設置されている。蒸発源を使用する場合、コーティング材料は、多くの金属、半導体および耐火性材料を含んでいる可能性がある。真空チャンバ１０１を開けてから、基板１０９を、一度に１枚ずつ、手作業でフレームワーク１０７上に積む。フレームワークによって保持し得る基板の数は、基板、真空チャンバ、フレームワークのサイズで異なるが、フレームワークは、普通は、直径２５ｍｍ〜２００ｍｍあるいはそれ以上の基板を保持するようになっている。
【０００３】
フレームワーク１０７は、モータ１１３に連結されており、このモータが、フレームワークと共に真空チャンバ内で回転して付着されつつあるコーティング材料１０５の均一性を高めるようになっている。他のシステム（図示せず）は、固定フレームワークを有することもあり、複数のフレームワークや、基板を回転させて特殊な回転効果を与える遊星式回転システム、その他の回転システムを組み込むこともある。
【０００４】
蒸発コーティング動作が生じる、普通は、１０-6〜１０-7Ｔｏｒｒの低い圧力で、材料１０５は蒸発源１０３からこの蒸発源に対して直接的な見通し線を持つコーティング面に直線に沿って移動する。図１の構成においては、フレームワーク・フロントサイド１１５および基板フロントサイド１１９は、共に、源１０３に対面しており、コーティングされるが、フレームワーク・バックサイド１１７および基板バックサイド１２１は、源１０３と反対方向に面しており、ほとんどコーティングされることはない。
【０００５】
従来のフレームワーク内に保持され得る多くの基板のうちの１つが、図２、図３に詳細に示してある。基板１０９は、開口２０１の１つを覆って置かれている。これらの開口２０１は、フレームワーク表面のかなりの部分にわたって設けてあり、保持しようとしている基板とほぼ同じ形状を有する。基板１０９は、複数の開口タブまたは１つの開口リップ２０３によって基板フロントサイド１１９上に支持され、開口タブまたは開口リップが基板１０９の縁の一部あるいはすべてを支持し、基板バックサイド１２１では、従来のクリップ機構２０５が支持する。或る種のシステムは、各基板、特に、大型の基板のために２つ以上のクリップを有し、１５０ｍｍの基板の場合、２個〜４個のクリップがそれを所定位置に保持する。
【０００６】
基板拘束力２１７が、クリップ２１９によって、撓んだコイルばね２１１から基板接触点２０９に伝達される。このクリップ２１９は、剛性であり、金属製である。代表的な従来技術のクリップは、ステンレス鋼またはインコネルのような合金で作られ、剛性となるような厚さ、形状を有する。クリップ２１９は、図３に示すように、親指３０１と人さし指３０３の間にクリップ・ハンドル２０７をはさみ、ピボット・ピン２１５まわりに開口２０１を越えて回転させることによって、基板１０９から引き離すことができる。
【０００７】
第２の従来技術クリップ機構４０１が、図４、図５に、それぞれ、側面図、頂面図で示してある。クリップ機構２０５においては、複合クリップばね４０１が、可撓性のゆるやかな金属で作られており、従来技術クリップ機構２０５より少ない拘束力を与えるようになっている。それに加えて、第１の従来技術クリップのコイルばね２１１は、湾曲部４０３を介してクリップ内に直接組み込まれていた。この構成のために、クリップの材料および形状は、若干のばね力をクリップによって与え得るように選ばれている。
【０００８】
図２〜図５の第１の従来技術クリップ、第２の従来技術クリップは、主として、クリップの加える力に耐えることができる基板のために設計されており、ばね力は、クリップを拘束すると共に基板を保持するように作用する。これらのクリップは、問題がないわけではないが、シリコン基板について広く用いられている。ガリウム・砒化物（Ｇａ−Ａｓ）基板が普及してきているが、脆いＧａ−Ａｓ基板を拘束するのに従来のクリップを使用する際に、主として小さい基板面積に大きな力を加えることに起因するいくつかの問題が明らかになった。ここで、図２、図３の第１の従来技術クリップを考察する。剛性クリップ２１９は、ピボット・ピン２１５まわりに回転することができ、固いコイルばね２１１によって所定位置に保持される。
【０００９】
このクリップ設計には、いくつかの欠点がある。従来技術クリップが固いばねによって基板に対して所定位置に保持されるので、クリップによって加えられる力が低い値に限られるのである。小さい力を持つこの種のクリップを設計することはむずかしい。オペレータが基板１０９上に置く前に偶然にクリップ・ハンドル２０７を放した場合、クリップ２１９が固いばね２１１によって基板１０９上へ押し付けられ、Ｇａ−Ａｓのような脆い基板材料に損傷を与えてしまう。この設計の他の欠点は、固いばね２１１がクリップも剛性にしてしまうので、クリップを誤って取り扱うことによる軽い変形により、クリップ接触面２０９が設計面積よりも小さくなってしまい、基板接触力を高めることになるということである。さらに別の欠点は、クリップ・ハンドル２０７が基板バックサイド１２１に接近しており、オペレータは基板に触れないようにかなり注意しなければならないということである。
【００１０】
図４、図５の第２の従来技術クリップは、複合クリップと固いばね４０３のために、剛性が低く、やや弾力性のある材料を採用できる。この設計は、基板１０９の最大接触面を維持することでは僅かに優れているが、第１のクリップ設計と同じ多くの制約を持っている。
【００１１】
壊れやすい基板についての従来技術クリップの制約は、注目されており、主として基板の縁に力を加えることによって基板を保持するスロット式拘束装置の使用によって部分的に処理されてきた。Doue等の米国特許第４，９７１，６７６号には、基板を１つの縁ばねと複数の縁当接片とによって所定位置に保持するフレームワークが記載されている。この発明は、ひとたび所定位置に置かれた基板にかかる応力を少なくするが、基板を設置したり、取り出したりする際に摺動させるということから別の問題が生じる。たとえば、基板を縁当接片によって構成した幅の狭いスロット内へ挿入する際に、脆い基板が壊れる可能性がある。それに加えて、この米国特許の発明で必要とする摺動操作は、基板表層に引っ掻き傷を作ったり、許容できないレベルの粒状物質を生じさせたり、堆積させたりする可能性がある。
【００１２】
【発明の概要】
本発明は、基板支持装置であって、
ａ）バックサイドおよび少なくとも１つの貫通孔を有し、この貫通孔が、その上にバックサイドから置いた基板の縁を支持しするようになっているフレームワークと、
ｂ）フレームワークに対して基板を押圧する力を加えるための複合ばねクリップ組立体とを備え、
この複合ばねクリップ組立体が、
ｉ）板ばね定数を有し、拘束された端部と片持ち端部とを有し、片持ち端部と接触している基板に基板拘束力を与えるようになっている板ばねと、
ｉｉ）フレームワークから離れる方向に突出するレバーアームと、
ｉｉｉ）レバーアームを拘束された端部に連結するクリップ支持部材と、
ｉｖ）第１のばね定数よりも少なくとも３倍大きい第２ばね定数を有し、かつ、力を板ばねの力に抗してフレームワークに対してクリップ支持部材を拘束するようになっており、かつ、オペレータが組立体を移動させるために働かなければならない抵抗を与えるようになっているクリップ組立体保持力を与える第２ばねとを備え、
それによって、オペレータが、第２ばねによって制御される力でクリップを持ち上げ、基板に対してクリップを設置することができると共に、基板に対する力を板ばねによって制御することを特徴とする。
【００１３】
本発明の基板支持装置では、板ばねが、複数のばね板からなるのが好ましい。
また、本発明の基板支持装置では、板ばねが、ばね板を相互連結している１つまたはそれ以上のクロスバーを備えるのが好ましい。
【００１４】
また、本発明は、基板支持装置であって：
ａ）バックサイドおよび少なくとも１つの貫通孔を有し、この貫通孔が、その上にバックサイドから置いた基板の縁を支持しするようになっているフレームワークと、
ｂ）フレームワークに対して基板を押圧すると共にクリップを所定位置に保持する別々の分離した力を与える複合ばねクリップ組立体とを備え、
この複合クリップ組立体が、
ｉ）板ばね定数を有し、基板拘束力を与える複数の板ばねと、
ｉｉ）ばね板定数よりも少なくとも３倍大きい第２ばね定数を有し、クリップ組立体保持力を与える第２ばねと、
ｉｉｉ）フレームワークから離れる方向に突出するレバーアームと、
ｉｖ）レバーアームを板ばねに連結しており、第２ばねのクリップ組立体保持力によって、フレームワーク・バックサイドに対して押し付けられるようになっているクリップ支持部材とを備え、
それによって、オペレータが、第２ばねによって制御される力でクリップを持ち上げ、基板に対して設置することができると共に、基板に対する力が板ばねによって制御されることを特徴とする。
【００１５】
本発明の基板支持装置では、基板拘束力合計の板ばね力が、２０グラム未満であるのが好ましい。
また、本発明の基板支持装置では、板ばね、レバーアームおよびクリップ支持部材が、１つの金属片で形成してあり、板ばねの厚さが０．０５０８ｍｍから０．２５４ｍｍ（０．００２インチから０．０１０インチ）であり、レバーアームおよびクリップ支持部材の厚さが、０．２５４ｍｍから１．０１６ｍｍ（０．０１０インチから０．０４０インチ）であるのが好ましい。
【００１６】
また、本発明の基板支持装置では、板ばね、レバーアームおよびクリップ支持部材が、１７−７ｐｈステンレス鋼で形成されるのが好ましい。
また、本発明の基板支持装置では、板ばねの厚さが、０．１０１６ｍｍ（０．００４インチ）であるのが好ましい。
また、本発明の基板支持装置では、レバーアームおよびクリップ支持部材の厚さが、０．３８１ｍｍ（０．０１５インチ）であるのが好ましい。
【００１７】
また、本発明の基板支持装置では、板ばねが、第１の金属片からなり、レバーアームおよび支持部材が、第２の金属片からなり、クリップ組立体が、さらに、第１の金属片と第２の金属片を固定するジョイントを含むように構成するのが好ましい。
また、本発明の基板支持装置では、第２ばねが、クリップ支持部材の一部を曲げ、拘束することによって形成されるのが好ましい。
また、本発明の基板支持装置では、第２ばねが、コイルばねであるのが好ましい。
【００１８】
また、本発明の基板支持装置では、クリップ組立体が、フレームワークに対して直角な軸線を有するピボット・ピンと、クリップ組立体に設けてあり、ピボット・ピンを収容するピボット・ピン孔とを備え、クリップ組立体をピボット・ピンの軸線まわりに回転させることができ、ピボット・ピンおよびレバーアーム上に置いたオペレータの指によってクリップ持ち上げ力を与えることができるように構成するのが好ましい。
【００１９】
本発明の一利点は、クリップによって加えられる基板拘束力を、クリップを所定位置に保持する力とは別にするということにある。
【００２０】
壊れやすい基板に、その損傷を防ぐほど低い拘束力を加えることが、本発明のさらなる利点である。
壊れやすい基板上に本発明を設置する際にオペレータの使用する力が基板に川得られないというのが、本発明の別の利点である。
【００２１】
本発明に従ってオペレータが使用する力が、基板にかなり小さい力を加えながら、確実に制御されることが、本発明のさらなる利点である。
基板に加えられる力が、複数のばね板を使用することによって、より大きい接触面積にわたってかつ多数の部位で生じることが、本発明のまたさらに別の利点である。
オペレータの指を操作中にウェーハから離しておけるということが、本発明のさらなる利点である。
本発明が、製造簡単、安価であり、使いやすくもあるということが、また別の利点である。
【００２２】
本発明の付加的な目的、利点および新特徴は、一部、以下の説明に記載され、また、一部、以下の説明から当業者にとって明らかとなるであろうし、本発明の実施によって学習され得るであろう。本発明の目的および利点は、特に添付の特許請求の範囲に記載された手段および組み合わせによって実現し、達成することができる。
【００２３】
（本発明の一実施形態）
図６〜図１２は、本発明の第１実施形態を示す。これらの図は、静止状態、移動状態の側面図（図６、図８）、端面図（図７）、２つの頂面図（図９、図１０）およびクリップ・パターンの図（図１１、図１２）を含む。
【００２４】
図６〜図９に示すように、第１のクリップの実施形態は、ピボット・ピン６０３まわりに回転できる複合ばねクリップ・レバーアーム６１９を含む複合ばねクリップ組立体６０１を有する。ばね・レバー６１９の構成要素は、板ばね６０５と、クリップ・ハンドル６０９を有するレバーアーム６０７と、ピボット・ピン６０３が貫通するピボット穴６１３を有するクリップ支持部材６１１とを含む。
【００２５】
支持部材６１１およびピボット穴６１３は、クリップ組立体の図（図１１）でより明確にわかる。また、ばねクリップ組立体６０１の一部、すなわち、第２のコイルその他の別体のばね６１５が、フレームワーク１０７上へクリップ６０１を押し付けるべくピボット・ピン端部６１７と支持部材６１１と間に圧縮状態で保持されている。
本発明の複合ばね組立体のクリップは、基板拘束力を与える１つまたはそれ以上のばね要素と、クリップを拘束するのに必要なより高い力を与える、クリップの手動操作のための剛性要素とを有する。
【００２６】
図６は、基板を拘束するように位置したクリップを示す。この位置において、ばね・レバー６１９は、コイルばね６１５によって加えられるクリップ組立体保持力によって所定位置にしっかりと保持される。板ばね（単数または複数）６０５の片持ち端部付近の基板拘束力６２３は、板ばね６０５の曲げ作用だけから生じ、接触域６２１にわたって分散している。コイルばね６１５は、クリップ組立体保持力を加えて、板ばね６０５の拘束された端部を所定位置に保持する。クリップ組立体保持力から基板拘束力を分離するために、板ばねの作用に抗してコイルばねによって所定位置に保持されるクリップ支持部材を設け、板ばね力より大きい、好ましくは、少なくとも３倍大きいコイルばね力を設ける。
【００２７】
図８は、フレームワーク内の基板の除去または設置のために持ち上げられたクリップを示している。オペレータは、コイルばね６１５の作用に抗してピボット・ピン端部６１７に向かってハンドル６０９を引いている。コイルばね６１５は、オペレータが容易かつ確実に操作できるように選んだ拘束力を持つように選ばれ、基板拘束力６２３から完全に分離している。本発明のクリップによって基板に加えられる力は、２０グラム未満、好ましくは、３〜５グラムの範囲にある。
ばね力を分離することに加えて、この構成は、オペレータのエラーで生じる可能性のある損傷を制限するという付加的な利点を持つ。
【００２８】
ここで、非常に壊れやすいＧａ−Ａｓ基板でも、持ち上げ位置からハンドルを放しても、基板に損傷を与えるほどの力が伝わることがないことがわかった。同様に、オペレータが、不注意に、ばね６１５の力に打ち勝つほどの力で基板１０９に向かってハンドル６０９を押した場合、板ばね６０５の比較的軽い力だけが基板に伝えられ、クリップで基板が損傷を受ける可能性が少なくなる。このクリップの他の特徴は、ハンドルが基板から遠く離れて置かれ、オペレータがウェーハに不注意で触れる可能性を減らすということである。
【００２９】
板ばね６０５のさらなる詳細が、図９の頂面図に示してある。この板ばねは、２枚のばね板９０１を有し、これらのばね板は、クロスバー９０３を介してゆるく連結している。本発明のクリップは、第１のクリップ実施形態のばね板構成に限られない。複数のばね板およびクロスバーを備えた他の実施形態を引き続き説明する。接触力の分散は、本発明の重要な特徴である。
【００３０】
それに対して、従来技術クリップは、点接触であり、良くてせいぜい細い線接触であり、基板に大きな局限された力を加えていた。板ばねは、より大きい面積にわたって基板拘束力を分散させ、したがって、基板内の最大局限応力を減らし、基板損傷の機会を最小限に抑える。多数のばね板９０１のために、ばね板６０５からの拘束力が、対になった基板接触領域６２１間に分散され、最大基板接触応力を減らす。ばね板９０１の可撓性によって、ばね板が基板１０９との接触に応答して曲がることができ、従来技術では剛性の材料を使用してのみ可能となるより大きい接触面積を得ることができる。
【００３１】
基板拘束力６２３は、板ばね６０５の厚さ、形状および材質を変えることによって、非常に低い値、すなわち、数グラム以下に制御することができる。基板１０９にかかる力の付加的な制御は、基板接触域６２１付近の板ばね６０５の湾曲によって影響を受ける。クロスバー９０３の目的は、ばね板９０１間に或る種のリンク機構を与え、ばね板９０１の１つがオペレータによって不注意で変形させられた場合に、ばね板が動いて板ばね６０５への損傷を制限することにある。
【００３２】
図１０は、フレームワーク１０７のバックサイド１１７の図を示している。各開口２０１が少なくとも１つのクリップ組立体６０１と組み合わせてあり、より大きな基板および開口についてより多くのクリップを使用できるようにしている。また、図１０には、開口から外れた位置１００３から基板拘束位置１００１までのクリップ組立体６０１の移動範囲が示してある。開口から外れた位置１００３は、その対応する開口に基板がないときのクリップ６０１の位置を表しており、基板拘束位置１００１は、フレームワーク１０７に対して基板１０９を保持するクリップ６０１の位置を示している。
【００３３】
これら位置間でクリップを移動させる際には、クリップ６０１をオペレータが把持し、クリップを持ち上げ、回転させる力を加える。クリップ６０１の持ち上げ状態が図８に示してある。クリップ６０１へかける持ち上げ力は、図８に示すようにクリップをはさむか、あるいは、親指と人さし指でハンドル６０９を把持し、図示方向に引くことによって生じる。次ぎに、レバーアーム６０９の端に軽い横方向の力を加えることによって、位置１００１と位置１００３との間でピボット・ピン６０３まわりにクリップを回転させる。
【００３４】
ばね・レバー６１９のさらなる詳細が、クリップを形成する形状にシートを曲げる前の平面を示す図１１、図１２に示してある。ばね・レバー６１９は、図１１の点線に沿ってシートを曲げて図６〜図９に示す形状を形成することによって、一体材料片から形成する。クリップ材料は、板ばねおよび剛性部分の両方を形成するのに適するように選ぶ。ステンレス鋼、インコネルその他の適当なばね材料であってもよいが、１７−７ｐｈステンレス鋼が好ましい。板ばねの厚さは、ばねの材質、形状ならびに必要な拘束力に依存する。０．０５０８〜０．２５４ｍｍ（０．００２〜０．０１０インチ）、好ましくは、０．１０１６ｍｍ（０．００４インチ）の厚さならば、本発明の低い板ばね力を生じることになる。
【００３５】
レバーアーム６０７、ハンドル６０９および支持部材６１１は、ばね６１５の力の下でオペレータによる剛性操作を可能にする厚さおよび形状である。０．２５４ｍｍ（０．０１０インチ）より大きい厚さであれば、必要な剛性を得ることができるが、０．３８１ｍｍ（０．０１５インチ）が好ましい値である。図１２に示すようなばね・レバー６１９の厚さ変化は、光化学式フライス加工で達成される。この処理は、板ばね６０５の細部を形成するのにも使用される。クリップを製造するには、機械的フライス加工、剪断およびスタンピングを含む他の方法も使用し得る。次いで、図１２に示す点線のところでハンドル部を曲げ、ばね６０５を図８に示す形状に曲げることによってばね・レバー６１９が形成され、これが最終的なばね・レバー形状となる。
【００３６】
本発明を適用した複合ばね機構の多くの実施形態は、当業者にとって明らかとなろう。他の明白な変更（そのいくつかは他の実施形態のさらなる説明に含まれる）は、コイルばねの作用をクリップのピボット連結へ変換すること、異なった基板拘束力を生じるように板ばねに種々のテーパを付けること、接触点の数を増やすこと、レバーアームの角度、長さを変えることを含む。
【００３７】
（他の実施形態）
本発明の第２実施形態が、図１３〜図１５に示してある。この実施形態は、第１実施形態とは３つの点で異なる。第１に、第１実施形態のコイルばねの代わりに、支持部材６１１の一部として形成された一体の第２ばね１３０１を使用している。第１実施形態のコイルばねをなくすことによって、クリップ組立体がより単純になる。これはクリップ設計を単純化し、おそらくコストを減らすが、別体のばねを有する第１実施形態よりも、第２ばね定数の範囲が小さくなる。第２に、レバーアーム６０７が２つの部分からなることである。これらの部分は、支持部材６１１から発し、第１実施形態のクリップ・ハンドル６０９と同じ部位付近で合体する。第３の、そして、最後の点は、ばね板９０１に、必要な板ばね定数を生じさせる一方法としてテーパが付けてあり、第１実施形態のクロスバーを持っていないということである。
【００３８】
本発明の第３実施形態は、図１６〜図１８に示すように、バイメタル式である。クリップ組立体は、基板拘束力を加えることと、支持部材であるということの別々の機能を果すように選ばれた２つの連結した材料からなる。これら２つの材料および厚さは、それぞれの機械的特性に合わせて選ばれており、したがって、異なった材料、厚さであることから或る種の共通の特性を持つことまで変化する可能性がある。
【００３９】
具体的には、板ばね６０５は、所望の基板拘束力を得る材質、厚さに作る。レバーアーム６０７および支持部材６１１は、操作での剛性および板ばね６０５を保持する剛性を得る材質、厚さのものである。２つの材料のジョイント１６０１は、ＴＩＧ、スポット溶接または二つの材料に適した任意の結合法を用いて作る。板ばねの適切な材料としては、０．０５０８〜０．２５４ｍｍ（０．００２〜０．０１０インチ）の厚さを持つ３０１ステンレス鋼およびインコネルがあり、好ましくは、１７−７ｐｈステンレス鋼である。レバーアームおよび連結部材の材料は、０．２５４〜１．０１６ｍｍ（０．０１０〜０．０４０インチ）の厚さを持つ、真空環境に適合する３０１ステンレス鋼、３０３ステンレス鋼、３０４ステンレス鋼、３１６ステンレス鋼、その他の材料で作ることが可能である。
【００４０】
いくつかの別のばね板構成が、図１９、図２０に示してある。これらの図は、ばね板９０１およびクロスバー９０３の可能性のある多くの変更、組み合わせのうちのを少し数を示している。板ばねの設計の選択は、必要な総合ばね力、個々のばね板力および基板への力の配分に依存する。図１９は、第２の実施形態、第３の実施形態と同様のばね板形態を示しており、ここにはクロスバーはないが、ばね板９０１は、テーパ付きではなく、まっすぐである。基板に対する損傷は、基板にかかる最大圧力によって支配され、この最大圧力は、全基板拘束力および全接触面積によって決まる。
【００４１】
最大圧力は、ばね板の厚さおよび幅の関数であるばね板のばね定数および基板を保持しながらばねを曲げる距離によって決まることになる。板ばねの幾何学的形状、寸法を変えて基板にかかる力および圧力を制御することができる。図２０で２つのばね板に二叉に分かれている単一のばね板およびより大きいクロスバーを持つ２ばね板の例を含む、ばね板およびクロスバーの付加的な組み合わせが図２０、図２１に示してある。ばね板設計の付加的な変更（図示せず）としては、より大きい面積にわたって基板拘束力を分散させるために３つ以上の接触部位を持つ３つ以上のばね板を設けてもよい。
【００４２】
こうして、本発明を開示した実施形態に関して説明してきたが、これらの実施形態は例示に過ぎない。これらの実施形態に関してなんら限定も意図しておらず、考えるべきでもない。発明の新規な概念の真の精神、範囲から逸脱することなく種々の変更、修正を行うことができることは明らかであり、発明の範囲は特許請求の範囲によって定義しているものである。
【図面の簡単な説明】
【図１】  図１は、先に説明した従来技術の真空蒸着システムの概略図である。
【図２】  図２は、基板を拘束する、先に説明した第１の従来技術のクリップの詳細を示す側面図である。
【図３】  図３は、先に説明した第１の従来技術のクリップの頂面図である。
【図４】  図４は、先に説明した第２の従来技術のクリップの側面図である。
【図５】  図５は、先に説明した第２の従来技術のクリップの頂面図である。
【図６】  図６は、基板を拘束する第１のクリップの実施形態の側面図である。
【図７】  図７は、第１のクリップの実施形態の端面図である。
【図８】  図８は、オペレータによって持ち上げ力を加えたところを示す、第１のクリップ実施形態の側面図である。
【図９】  図９は、第１のクリップの実施形態の頂面図である。
【図１０】  図１０は、フレームワーク装置の詳細図である。
【図１１】  図１１は、曲げる前の第１のクリップの実施形態の平面形態を示す。
【図１２】  図１２は、１つのプロングを通る、第１のクリップ実施形態の断面図である。
【図１３】  図１３は、第２のクリップの実施形態の頂面図である。
【図１４】  図１４は、持ち上げ運動を示す、第２のクリップの実施形態の側面図である。
【図１５】  図１５は、第２のクリップの実施形態の端面図である。
【図１６】  図１６は、第３のクリップの実施形態の頂面図である。
【図１７】  図１７は、第３のクリップの実施形態の側面図である。
【図１８】  図１８は、第３のクリップの実施形態の端面図である。
【図１９】  図１９は、第１の別の多プロングの設計を示す。
【図２０】  図２０は、第２の別の多プロングの設計を示す。
【図２１】  図２１は、第３の別の多プロングの設計を示す。
【符号の説明】
１０７  フレームワーク
６０１  複合ばねクリップ組立体
６０３  ピボット・ピン
６０５  板ばね
６０７  レバーアーム
６０９  クリップ・ハンドル
６１１  支持部材
６１３  ピボット穴
６１５  ばね
６１７  ピボット・ピン端部
６１９  ばね・レバー
６２３  基板拘束力
９０１  ばね板
９０３  クロスバー
【図１】
0004556052.tif 000002
【図２】
0004556052.tif 000003
【図３】
0004556052.tif 000004
【図４】
0004556052.tif 000005
【図５】
0004556052.tif 000006
【図６】
0004556052.tif 000007
【図７】
0004556052.tif 000008
【図８】
0004556052.tif 000009
【図９】
0004556052.tif 000010
【図１０】
0004556052.tif 000011
【図１１】
0004556052.tif 000012
【図１２】
0004556052.tif 000013
【図１３】
0004556052.tif 000014
【図１４】
0004556052.tif 000015
【図１５】
0004556052.tif 000016
【図１６】
0004556052.tif 000017
【図１７】
0004556052.tif 000018
【図１８】
0004556052.tif 000019
【図１９】
0004556052.tif 000020
【図２０】
0004556052.tif 000021
【図２１】
0004556052.tif 000022